(57)【要約】【課題】任意の場所に設置できるとともに、快適性を向上させて、低コストで好適にパーソナル空調を行い得る、可搬式空調装置を提供する。【解決手段】建物の室内にてパーソナル空調を行うために用いられる可搬式空調装置Ｐの構成を、函体をなす装置本体１内に、圧縮機、凝縮器３、キャピラリチューブ４及び蒸発器５が設けられ、蒸発器５の周囲を通過して冷却された低温空気を、冷気として吹出すとともに、凝縮器３の周囲を通過して加温された高温空気を、冷気の吹出方向から離間する方向に吹出して室内の上方へと排気するようにした。【選択図】      図１
2004286293.tif 000002
【特許請求の範囲】
【請求項１】
建物の室内にて個人を空調の対象とするために用いられる可搬式の空調装置であって、
函体をなす装置本体内に、圧縮機、凝縮器、キャピラリチューブ及び蒸発器が設けられ、
前記蒸発器の周囲を通過して冷却された低温空気を、冷気として吹出すとともに、前記凝縮器の周囲を通過して加温された高温空気を、前記冷気の吹出方向から離間する方向に吹出して前記室内の上方へと排気することを特徴とする可搬式空調装置。
【請求項２】
前記高温空気を、前記装置本体から上方に向けて立設された排気ダクトによって、前記室内の上方へと排気することを特徴とする請求項１に記載の可搬式空調装置。
【請求項３】
前記排気ダクトは、長手方向に伸縮可能な入れ子式又は蛇腹式の構成とされていることを特徴とする請求項２に記載の可搬式空調装置。
【請求項４】
前記装置本体内の下部には、前記蒸発器の表面に生成した水を貯留する水タンクが設けられていることを特徴とする請求項１〜３の何れかに記載の可搬式空調装置。
【請求項５】
前記水タンク内の水を汲み上げて前記凝縮器に噴霧する噴霧器が設けられていることを特徴とする請求項４に記載の可搬式空調装置。
【請求項６】
前記装置本体内は、該装置本体内の上端部側から下方に向けて延設された断熱仕切壁によって、前記凝縮器側の室と前記蒸発器側の室とに仕切られ、前記断熱仕切壁の下端部は、前記水タンク内に進入する位置まで延在することを特徴とする請求項４又は請求項５に記載の可搬式空調装置。
【発明の詳細な説明】
【０００１】
【発明の属する技術分野】
本発明は、建物の室内、例えばオフィス内等にて、個人を空調の対象とするために用いられる、可搬式の空調装置に関するものである。
【０００２】
【従来の技術】
建物の室内における冷房用の空調方式としては、室内全域を一様に空調するアンビエント空調と、室内のある特定の場所をきめ細かに空調するタスク空調とを併用する、タスク・アンビエント空調方式が、近年一般的となりつつある。特にオフィス内等においては、タスク空調として、各個人を対象とする空調（パーソナル空調）が望まれている。
【０００３】
このように冷房用パーソナル空調を行うための空調装置（設備）としては、例えば特許文献１や特許文献２に記載されているものが知られている。特許文献１に記載のものは、オフィス内等における使用を前提として、冷気の吹出口をデスクに設けたものであり、また特許文献２に記載のものは、トイレ内における使用を前提として、水洗用タンク上部に空調装置を設けたものである。
【０００４】
【特許文献１】
特開平６−３２３６１４号公報
【特許文献２】
特開２０００−７４４７９号公報
【０００５】
【発明が解決しようとする課題】
こうした従来の冷房用パーソナル空調においては、デスク等といった家具に吹出口やダクト、あるいは空調装置そのものを直接取り付けていたため、構造が複雑となって、イニシャルコストやメンテナンスコストが高いものとなっていた。また、レイアウト変更を行う場合には、空調装置やダクトも移動させなければならないため、対応できない場合は撤去を余儀なくされ、レイアウト変更に的確に対応できないものであった。
【０００６】
加えて、空調対象となる個人（空調対象者）に向けて高速の冷風（冷気）を直接吹出すことを基本としていたため、人体において局所的な熱放散が促進され、皮膚表面の温度差が大きくなる。また高風速気流による目の乾燥や、手、首等の局所的な体温低下等により、空調対象者はコールドドラフト等のドラフト感を感じることが多く、快適性が高いとは言えるものでなかった。
【０００７】
本発明は上記事情に鑑みてなされたもので、任意の場所に設置できるとともに、快適性を向上させて、低コストで好適にパーソナル空調を行い得る、可搬式空調装置を提供することを目的とする。
【０００８】
【課題を解決するための手段】
請求項１に記載の発明は、建物の室内にて個人を空調の対象とするために用いられる可搬式の空調装置であって、函体をなす装置本体内に、圧縮機、凝縮器、キャピラリチューブ及び蒸発器が設けられ、前記蒸発器の周囲を通過して冷却された低温空気を、冷気として吹出すとともに、前記凝縮器の周囲を通過して加温された高温空気を、前記冷気の吹出方向から離間する方向に吹出して前記室内の上方へと排気することを特徴とする。
【０００９】
このように、圧縮機、凝縮器、キャピラリチューブ及び蒸発器といった、空調装置としての基本構成要素を、函体の装置本体内に一式として設けるようにしているので、函形にコンパクトにまとまった空調装置を構成することができる。そのためこの空調装置を、移動・搬送が容易な可搬式とすることができ、例えばデスクやパーテーション等の家具上に容易に設置することができるので、室内における任意の場所からパーソナル空調を好適に行うことができる。
【００１０】
また、凝縮器によって加温された高温空気を、冷気の吹出方向から離間する方向に吹出して室内の上方へと排気するようにしているので、室内の上方における空気は、比較的高温となる。この状態で、低温空気すなわち冷気を、空調対象者の人体の頭上に向けて斜め上方へと吹出せば、冷気と室内空気との温度差及び空気密度差を利用して、個人を対象とした空調つまりパーソナル空調を、好適に行うことができる。すなわち、吹出される冷気と室内の高温空気との温度差及び空気密度差により、人体の頭上部から冷気をゆっくりと落下させることができるので、冷気を人体の顔や首等に直接吹出すことを避け、人体がドラフト感を感じないような空調を可能とできる。このため、空調対象者に不快感等を与えることなく、高温空気を室内上方へと排気することができる。
【００１１】
請求項２に記載の発明は、請求項１に記載の可搬式空調装置であって、前記高温空気を、前記装置本体から上方に向けて立設された排気ダクトによって、前記室内の上方へと排気することを特徴とする。
【００１２】
このように、装置本体に排気ダクトを上方に向けて立設して、高温空気をこの排気ダクト内に流して室内の上方まで導き、そこで排出することができるようにしているので、高温空気を室内上方へと的確に送気し排出することができる。
【００１３】
請求項３に記載の発明は、請求項２に記載の可搬式空調装置であって、前記排気ダクトは、長手方向に伸縮可能な入れ子式又は蛇腹式の構成とされていることを特徴とする。
【００１４】
このように、排気ダクトを、長手方向に伸縮可能な入れ子式又は蛇腹式の構成としているので、簡易な構成として、高さ方向における排気位置を適宜調節することができる。
【００１５】
請求項４に記載の発明は、請求項１〜３の何れかに記載の可搬式空調装置であって、前記装置本体内の下部には、前記蒸発器の表面に生成した水を貯留する水タンクが設けられていることを特徴とする。
【００１６】
このように、装置本体内の下部に水タンクを設けているので、蒸発器の表面に結露により生成した水滴は、装置本体内下部へと滴下していき、順次水タンクに貯留される。このため、水タンク内に所定量の水が貯留された時点で一括して的確に水処理を行うことができ、水処理装置等を別途に設ける必要を無くすことができるとともに、水の処理頻度を低下させることができる。
【００１７】
請求項５に記載の発明は、請求項４に記載の可搬式空調装置であって、前記水タンク内の水を汲み上げて前記凝縮器に噴霧する噴霧器が設けられていることを特徴とする。
【００１８】
このように、噴霧器を設けて、水タンク内の水を汲み上げて凝縮器に噴霧するようにしているので、水タンク内に順次貯留されていく水を凝縮器にて順次蒸発させて、高温空気とともに排気することができる。
【００１９】
請求項６に記載の発明は、請求項４又は請求項５に記載の可搬式空調装置であって、前記装置本体内は、該装置本体内の上端部側から下方に向けて延設された断熱仕切壁によって、前記凝縮器側の室と前記蒸発器側の室とに仕切られ、前記断熱仕切壁の下端部は、前記水タンク内に進入する位置まで延在することを特徴とする。
【００２０】
このように、断熱仕切壁によって、装置本体内を凝縮器側の室と蒸発器側の室とに断熱的に仕切るようにしているので、蒸発器側の冷気と凝縮器側の高温空気との間で熱の授受が行われることを的確に防止することができる。
また、断熱仕切壁の下端部を、水タンク内に進入する位置まで延在させているので、水タンク内に所定量の水を貯留する、つまり断熱仕切壁の下端部よりも上部に水面が位置するまで水を貯留することによって、凝縮器側の室と蒸発器側の室との間における空気の流通を遮断することができる。このため、蒸発器側の室の冷気と凝縮器側の室の高温空気とが混合することを的確に防止することができる。
【００２１】
【発明の実施の形態】
以下、本発明に係る可搬式空調装置の実施の形態について、図面を用いて説明する。この可搬式空調装置は、オフィス等の室内にてデスクやパーテーション等の家具上に設置して、個人を空調の対象として冷房用パーソナル空調を行うために用いられる、小型のパーソナル空調用ユニットである。
【００２２】
この可搬式空調装置Ｐは、図１乃至図３に示すように、函形の装置本体１内に、圧縮機２、凝縮器３、キャピラリチューブ４及び蒸発器５といった、空調装置としての基本構成要素が、一式として設けられている。
【００２３】
蒸発器５は装置本体１内における高さ方向略中間位置の前方側に、凝縮器３は蒸発器５の後方側に、圧縮機２は蒸発器５及び凝縮器２の下側に、各々設けられている。この装置本体１内は、断熱仕切壁１５によって、蒸発器５が設けられている側の室である蒸発器室（蒸発器側の室）１Ａと、凝縮器３が設けられている側の室である凝縮器室（凝縮器側の室）１Ｂとに各々仕切られている。そして、断熱仕切壁１６によって、圧縮機２が設けられている側の室である圧縮機室１Ｃに仕切られている。すなわち、断熱仕切壁１５，１６によって、装置本体１内は断熱的に３つの室に仕切られている。
【００２４】
なおこれらの図において、圧縮機２と凝縮器３、及び圧縮機２と蒸発器５とを連結する配管の図示は各々省略しているが、冷媒は、圧縮機２、凝縮器３、キャピラリチューブ４、蒸発器５の順に循環する。
また、圧縮機室１Ｃ内には、制御部６、及び噴霧器３１のポンプ３１ｐ（後述）も設けられている。この制御部６によって、可搬式空調装置Ｐの運転、つまり冷媒の循環あるいは冷気の吹出温度や風量等は、一括して制御される。この制御部６には、電源コードやバッテリー等といった電力供給手段が連結されている。
【００２５】
圧縮機室２の側方に隣接する位置には、水タンク８が設けられている。蒸発器５の表面に結露により生成された水は、下側に滴下して、断熱仕切壁１６上面を伝って水タンク８へと流れていき、順次貯留されていく。この水タンク８は、装置本体１に着脱可能なカートリッジ式とされていることが好ましい。こうすれば、水が所定量貯留された時点で水タンクを取り外して、容易に排水することができる。
【００２６】
また、断熱仕切壁１５の下端部は、水タンク８内の床近傍位置まで、つまり水タンク８内に進入する位置まで延在している。このため、水タンク８内に所定量の水Ｗを貯留する、つまり断熱仕切壁１５の下端部よりも上部に水面が位置するまで水Ｗを貯留することによって、凝縮器室１Ｂと蒸発器室１Ａとの間における空気の流通を遮断することができるようになっている。
【００２７】
装置本体１の前面には、室内の空気を蒸発器室１Ａ内に吸込むための吸込口１１が形成されており、また装置本体１上面の前方側には、蒸発器５の周囲を通過して冷却された低温空気を冷気として装置外へと吹出すための、吹出口１２が形成されている。蒸発器室１Ａ内における吹出口１２近傍位置には、クロスフローファン２２が設けられており、また吹出口１２には、冷気の吹出方向を調節するための風向調節用グリル２３が設けられている。
【００２８】
装置本体１の後方側の両側面には、室内の空気を凝縮器室１Ｂ内に吸込むための吸込口１３，１３が形成されており、また装置本体１上面の後方側には、凝縮器３の周囲を通過して加温された高温空気を吹出すための吹出口１４が形成されている。凝縮器室１Ｂ内における吹出口１４の近傍位置には、シロッコファン２２が設けられている。
【００２９】
また、凝縮器室１Ｂ内及び圧縮機室１Ｃ内には、水タンク８内の水を汲み上げて凝縮器３に噴霧するための、噴霧器３１が設けられている。この噴霧器３１は、水タンク８内から圧縮機室１Ｃを経て凝縮器３上端部近傍まで延びる配管３１ｔと、配管３１ｔの管路途中である圧縮機室１Ｃ内に設けられたポンプ３１ｐとから構成されている。ポンプ３１ｐを作動させることで、水タンク８内の水は配管３１ｔ上端側まで汲み上げられ、この配管３１ｔに形成された多数の孔（図示省略）から凝縮器３表面へと噴霧され、蒸発される。そしてこの水蒸気は、凝縮器室１Ｂ内の廃熱を含んだ高温空気とともに、吹出口１４から吹き出される。
【００３０】
また、吹出口１４の上方側には、上端側から高温空気を室内上方へと排気する排気ダクト４０が設けられている。この排気ダクト４０は、互いに入れ子式となるように連結された基部４１ａ及びスライド部４１ｂからなる、伸縮可能とされた長尺筒状のダクトである。基部４１ａは、装置本体１の吹出口１４上方に装置本体１と一体に固定されており、この基部４１ａに対してスライド部４１ｂを上下方向にスライドさせることで、長手方向に伸縮可能となっている。
【００３１】
なおこの排気ダクト４０においては、基部４１ａ及びスライド部４１ｂとからなる２段の入れ子式構造としているが、より長尺なスパンで伸縮させたい場合等には、３段以上の入れ子式構造としてもよい。また、入れ子式とする替わりに、排気ダクト４０の全体あるいは一部を蛇腹式とすることで、長手方向に伸縮可能としてもよい。
【００３２】
こうした構成の可搬式空調装置Ｐにおいては、図１に示すように、前面に形成された吸込口１１から吸込まれた空気は、フィルタ２１を通過して蒸発器室１Ｂに流入し、蒸発器５により冷却され、低温空気とされる。この低温空気は、冷気として吹出口１２から吹出される。なおこのとき、２０℃程度の冷気が、床面から８０°の角度をなして風速１．２ｍ／ｓ程度で吹出されるように、風向調節用グリル２３の向きやクロスフローファン２２の回転速度を、各々設定することが好ましい。
【００３３】
空調対象者としての個人が、デスクに着座している場合、冷却空気は室内空気（高温空気）との温度差及び空気密度差により人体の頭上部に落下する。また、人体の様々な姿勢や、可搬式空調装置Ｐと人体との距離に応じて風向調節用グリル２３を用いて、冷気の気流が人体の頭上部に落下するように調節可能である。
【００３４】
吸込口１１から吸込まれた空気は蒸発器５で冷却されることにより、蒸発器５の表面には結露が生じて、水滴が生成される。この水滴は、蒸発器５から下側へと滴下し、装置本体１の下部に設けられている水タンク８に順次貯留されていく。水タンク８内に貯まった水は、噴霧器３１によって凝縮器３表面に噴霧され、蒸発されて、そして高温空気とともに排気される。これにより、水タンク８内の水は使い切られ、別途の水処理が不必要となる。
【００３５】
一方、図３に示す吸込口１３，１３から空気を吸込んで、凝縮器３と熱交換を行うことで、凝縮器３の冷却を行う。熱交換により加温され、廃熱を含んだ高温空気は、吹出口１４から吹出される。この吹出口１４から吹出された高温空気は、吹出口１２から吹出される冷気と離間するように、長さ調節可能な排気ダクト４０によって、室内上方へと排気される。
なおこのとき、装置本体１内には、水タンク８内の床近傍位置まで断熱仕切壁１５が設置されているので、蒸発器室１Ａ内の蒸発器５によって冷却された低温空気と、凝縮器室１Ｂ内の凝縮器３によって加温された高温空気とが混合することが的確に防止されている。
【００３６】
この可搬式空調装置Ｐを用いたパーソナル空調は、吹出口から出る冷却空気と室内空気との温度差及び空気密度差を用いて、個人を対象として空調を行うものである。従って、このパーソナル空調の物理的な再現性及び妥当性を確認するために、ＣＦＤ（数値流体力学：  Ｃｏｍｐｕｔａｔｉｏｎａｌ  Ｆｌｕｉｄ  Ｄｙｎａｍｉｃ）を使用して検討を行った。本検討においては、図４に示すように、デスクＤ上に設置した可搬式空調装置Ｐをパーソナル空調ユニットとして、室内上方の壁面に設置した壁掛け型のルームエアコンディショナＣをアンビエント空調設備として各々用い、パーソナル空調とアンビエント空調とを併用している。この図において符号Ｈは、空調対象者の人体を示している。
【００３７】
なお、可搬式空調装置Ｐのうち、図１において示した吹出口１２と吸込口１１のみをＣＦＤの境界条件に用いた。図１において示した吹出口１４、排気ダクト４０、及び図３において示した吸込口１３，１３は、検討対象ではないため、ここでは解析を行っていない。
【００３８】
本検討における解析に用いた計算条件及び境界条件に関しては、図４及び以下に示す通りである。ＣＦＤ解析で乱流モデルは標準ｋ−εモデル、アルゴリズムはＳＩＭＰＬＥ法、スキームはＱＵＩＣＫと陰解法を用いた。
【００３９】
可搬式空調装置Ｐの吹出口１２の境界条件は、風速は１．２ｍ／ｓ、吹出角度は床面から８０゜、吹出温度は２０℃、風量は０．００９６ｍ３／ｓ、吹出口の寸法は０．０４ｍ×０．２ｍとして有効直径は約０．１とする。パーソナル空調用ユニットの吸込口の境界条件は、風速と温度に対してｆｒｅｅ  ｓｌｉｐ、吸込口の寸法は０．２ｍ×０．２ｍとする。
【００４０】
アンビエント空調の境界条件は、吹出口１２において、風速は０．８１１ｍ／ｓ、吹出温度は２８．０℃、吹出口の寸法は０．０５ｍ×０．７ｍとする。吸込口において、風速と温度に対してｆｒｅｅ  ｓｌｉｐ、吸込口の寸法は０．０５ｍ×０．７ｍとする。室内の換気回数は約５．２回／ｈである。
【００４１】
人体モデルの呼吸は鼻から定常呼吸（吸入のみ）を行い、呼吸量は１４．４ｌ／ｍｉｎ、鼻の面積は０．１４６×１０−３ｍ２とする。全ての表面においては対流に対して一般化対数則を用い、部屋の壁面と家具面は断熱とする。また、人体の発熱は対流分のみで２２．８Ｗ／ｍ２とする。
【００４２】
図５ではスカラー風速分布を、図６では温度分布を、それぞれ示す。可搬式空調装置Ｐの吹出口１２から８０゜の吹出角度で風速１．２ｍ／ｓの２０℃の冷気を吹出す場合、室内空気との温度差及び空気密度差により、冷気が人体の頭上部に落下する。この際、人体周辺の気流速度は約０．１７ｍ／ｓ以下となり、温度分布は頭上部で約２６．８℃となっている。この結果により、可搬式空調装置Ｐを用いたパーソナル空調、つまり温度差及び空気密度差によるパーソナル空調の、物理的な再現性及び妥当性が確認された。また、人体周辺では風速０．１７ｍ／ｓ以下となり、コールドドラフトによる不快感や目の乾燥などが避けられると判断される。アンビエント空調で室内温度を２８℃で空調を行う室内においても、本発明に係る可搬式空調装置Ｐを使用する場合、人体周辺では約２６．８℃の空気温度を得られる。このように、室内全域を一様に空調対象とする一般的な空調方式に比べて、省エネルギー化を図ることができる。
【００４３】
上述したＣＦＤ結果には、図１における吹出口１４、排気ダクト４０、図３における吸込口１３，１３の影響といった要素は含まれてない。しかし、これらを考慮する場合、これらの排気ダクト４０の上端側から室内上部に廃熱が排出される。この廃熱は、図７から図９までに示す例のように、アンビエント空調設備等を併用することで、室外へと除去することが可能である。なおこれらの図において、符号Ｄはデスクを、符号Ｈは人体を、各々示す。
【００４４】
図７に示すように、一般的な壁掛け型のルームエアコンディショナＣを設置した場合は、このルームエアコンディショナＣの上部に設けられた吸込口から、室内上方の熱が除去できる。また、図８に示すように、一般的なオフィス等に採用されているビルトインタイプ、つまり天井吹出・天井吸込方式のルームエアコンディショナＢにおいても、天井の吸込口から熱が除去できる。更に、図９に示すように、室の上方に設けられた換気窓Ｖを用いた自然通風と、パーソナル空調とを併用したハイブリツト空調方式においても、自然通風により室内上部の熱が排出・除去される。
【００４５】
このように、天井の高温空気を室外へと排出可能なアンビエント空調設備等を併用することにより、本発明に係る可搬式空調装置Ｐを、更に好適に使用することができる。
【００４６】
本実施形態に係る可搬式空調装置Ｐにおいては、函体をなす装置本体１内に、圧縮機２、凝縮器３、キャピラリチューブ４及び蒸発器５が設けられ、蒸発器５の周囲を通過して冷却された低温空気を冷気として吹出すとともに、凝縮器３の周囲を通過して加温された高温空気を、冷気の吹出方向から離間する方向に吹出して室内の上方へと排気するようにしている。このように、圧縮機２、凝縮器３、キャピラリチューブ４及び蒸発器５といった、空調装置としての基本構成要素を、函体の装置本体内に一式として設けるようにしているので、函形にコンパクトにまとまった空調装置を構成することができる。そのため、移動・搬送が容易な可搬式とすることができ、デスクやパーテーション等の家具上といった任意の場所に容易に設置することができるので、室内における任意の場所からパーソナル空調を好適に行うことができる。これにより、既存のパーソナル空調装置のように、デスクやパーテーション等といった家具と一体化していたことによる問題を解決することができる。すなわち、家具等との一体化を避けて自由に位置変更を可能なようにしているので、レイアウト変更等における撤去部品を無くし、多種多様なレイアウトに的確に対応させることができる。
【００４７】
また、凝縮器３によって加温された高温空気を、冷気の吹出方向から離間する方向に吹出して室内の上方へと排気するようにしているので、室内の上方における空気は、比較的高温となる。この状態で、低温空気すなわち冷気を、空調対象者の人体の頭上部に向けて斜め上方へと吹出せば、冷気と室内空気との温度差及び空気密度差を利用して、個人を対象とした空調つまりパーソナル空調を、好適に行うことができる。すなわち、吹出される冷気と室内の高温空気との温度差及び空気密度差により、人体の頭上部から冷気をゆっくりと落下させることができ、人体周辺の空気温度を適切なものとできる。また、落下する冷気を、人体周辺でほぼ０．２ｍ／ｓ以下の低風速に保つことができれば、人体には冷気の気流によるドラフト感が殆ど感じられない。このように、冷気を人体の顔や首等に直接吹出すことを避け、人体がドラフト感を感じないような空調を可能とできるので、空調対象者に不快感等を与えることなく、高温空気を室内上方へと排気することができ、空調効率を十分に維持しながら、低コストで好適にパーソナル空調を行うことができる。
【００４８】
更に、装置本体１から上方に向けて立設された排気ダクト４０によって、凝縮器３により加温された高温空気を、室内の上方へと排気するようにしている。
このように、装置本体に排気ダクトを上方に向けて立設して、高温空気をこの排気ダクト内に流して室内の上方まで導き、そこで排出することができるようにしているので、高温空気を室内上方へと的確に送気し排出することができる。
【００４９】
更に、排気ダクト４０を、長手方向に伸縮可能な入れ子式の構成としているので、簡易な構成として、高さ方向における排気位置を適宜調節することができる。そのため、室内の天井高さの違いやアンビエント空調設備の違いなどにも対応することができ、様々な室内で好適にパーソナル空調を行うことができる。
【００５０】
更に、装置本体１内の下部に水タンク８を設けているので、蒸発器５表面に結露により生成した水滴は、装置本体１内下部へと滴下していき、順次水タンクに貯留される。このため、水タンク８内に所定量の水Ｗが貯留された時点で一括して的確に水処理を行うことができ、水処理装置等を別途に設ける必要を無くすことができるとともに、水の処理頻度を低下させることができる。これにより、周辺に水を漏洩させるおそれがなく、可搬式空調装置Ｐを長期にわたって安定的に運転させることができる。
【００５１】
更に、水タンク８内の水を汲み上げて凝縮器３に噴霧する噴霧器３１を設けるようにしているので、水タンク内に順次貯留されていく水を凝縮器にて順次蒸発させて、高温空気とともに排気することができる。これにより、順次貯留されていく水の水処理を不要として、的確に水処理を行うことができるとともに、凝縮器３をより迅速且つ的確に冷却することができ、空調効率を向上させて、低コストで好適にパーソナル空調を行うことができる。
【００５２】
更に、断熱仕切壁１５によって、装置本体１内を凝縮器室１Ｂと蒸発器室１Ａとに断熱的に仕切るようにしているので、蒸発器室１Ａ内の冷気と凝縮器室１Ｂ内の高温空気との間で熱の授受が行われることを的確に防止することができる。また、断熱仕切壁１５の下端部を、水タンク８内に進入する位置まで延在させているので、水タンク８内に所定量の水を貯留する、つまり断熱仕切壁１５の下端部よりも上部に水面が位置するまで水Ｗを貯留することによって、凝縮器室１Ｂと蒸発器室１Ａとの間における空気の流通を遮断することができる。このため、蒸発器室の冷気と凝縮器側の室の高温空気とが混合することを的確に防止することができる。これにより、空調効率をより向上させて、更に低コストで好適にパーソナル空調を行うことができる。
【００５３】
【発明の効果】
以上説明したように、本発明に係る可搬式空調装置によれば、上記の如き構成を採用しているので、任意の場所に設置できるとともに、快適性を向上させて、低コストで好適にパーソナル空調を行い得る、可搬式空調装置を提供することができる。
【図面の簡単な説明】
【図１】本発明の一実施形態に係る可搬式空調装置の側断面図である。
【図２】図１における蒸発器室内部を正面視した断面図である。
【図３】図１における凝縮器室内部を正面視した断面図である。
【図４】ＣＦＤ（数値流体力学）解析において用いた寸法データを示す図である。
【図５】ＣＦＤ（数値流体力学）解析のスカラー風速（ｍ／ｓ）分布図である。
【図６】ＣＦＤ（数値流体力学）解析の温度（℃）分布図である。
【図７】本発明の一実施形態に係る可搬式空調装置と、壁掛け型のルームエアコンディショナとを併用した状態を示す、室内の概略図である。
【図８】本発明の一実施形態に係る可搬式空調装置と、天井吹出・吸込空調方式のルームエアコンディショナとを併用した状態を示す、室内の概略図である。
【図９】冷房用パーソナル空調と自然通風ハイブリツト空調とを併用した状態を示す、室内の概略図である。
【符号の説明】
Ｐ  可搬式空調装置
１  装置本体
１Ａ  蒸発器室（蒸発器側の室）
１Ｂ  凝縮器室（凝縮器側の室）
１Ｃ  圧縮機室
２  圧縮機
３  凝縮器
４  キャピラリチューブ
５  蒸発器
８  水タンク
１１，１３  吸込口
１２，１４  吹出口
１５，１６  断熱仕切壁
３１  噴霧器
４０  排気ダクト
４１ａ  基部
４１ｂ  スライド部
Ｗ  水
【図１】
2004286293.tif 000003
【図２】
2004286293.tif 000004
【図３】
2004286293.tif 000005
【図４】
2004286293.tif 000006
【図５】
2004286293.tif 000007
【図６】
2004286293.tif 000008
【図７】
2004286293.tif 000009
【図８】
2004286293.tif 000010
【図９】
2004286293.tif 000011